(57)【要約】【課題】交換作業を行う際に懸念される排泄物由来の不快な臭気が低減された展開型着用物品を提供すること。【解決手段】展開型着用物品１は、着用者の腹側に配される腹側部１Ｆ及び背側に配される背側部１Ｒ並びにそれらの間に位置する股下部１Ｍを有し、背側部１Ｒの縦方向Ｘに沿う両側縁部にファスニングテープ７を備え、腹側部１Ｆの非肌対向面にファスニングテープ７の止着部７０が止着可能な止着領域を備える。止着領域８に香料を含む。【選択図】図２
2018102611.tif 000002
【特許請求の範囲】
【請求項１】
着用者の腹側から股間部を介して背側に延びる縦方向とこれに直交する横方向とを有すると共に、着用者の腹側に配される腹側部及び背側に配される背側部並びにそれらの間に位置する股下部を有し、該背側部の該縦方向に沿う両側縁部にファスニングテープを備え、該腹側部の非肌対向面に該ファスニングテープの止着部が止着可能な止着領域を備える展開型着用物品であって、
前記止着領域に香料を含む展開型着用物品。
【請求項２】
前記止着部がメカニカルファスナーのオス材であり、前記止着領域が該オス材と係合可能な不織布で形成されている請求項１に記載の展開型着用物品。
【請求項３】
前記止着部に前記香料を含む請求項１又は２に記載の展開型着用物品。
【請求項４】
前記香料が、尿臭成分に起因するヒトの嗅覚受容体の活性化を阻害する物質を含む請求項１〜３のいずれか１項に記載の展開型着用物品。
【請求項５】
前記香料が、ｐ−クレゾール又は２−メトキシ−４−ビニルフェノールに起因するヒトの嗅覚受容体の活性化を阻害する物質を含む請求項４に記載の展開型着用物品。
【請求項６】
前記嗅覚受容体が、ＯＲ９Ｑ２、ＯＲ１０Ｇ４、ＯＲ１０Ｇ７及びＯＲ２Ｗ１のいずれかである請求項４又は５に記載の展開型着用物品。
【発明の詳細な説明】
【技術分野】
【０００１】
本発明は、展開型使い捨ておむつ等の、止着用のファスニングテープを所定の止着領域に止着することで装着するタイプの着用物品に関する。
【背景技術】
【０００２】
展開型使い捨ておむつは、通常、着用者の腹側に配される腹側部及び背側に配される背側部並びにそれらの間に位置する股下部を有し、これを着用する際には、背側部のサイドフラップを着用者の腹側に引き延ばし、そのサイドフラップに設けられたファスニングテープを腹側部の外表面に止着する。これにより、おむつを腰周りで適度に締め付け、ずれ落ちないように固定することができる。このファスニングテープとしては、止着と剥離とが自在に行える機械的な接合を可能とするファスニングテープが広く用いられている。ファスニングテープは、一般的に、面状のメカニカルファスナーを有し、例えばこれが基材シートと共におむつのフラップに取り付けられた構造を有する。このメカニカルファスナーとしては、繊維等との係合を可能とする形状、例えば鉤型、マッシュルーム型等の形状の係合フックを多数有する面状ファスナー、いわゆるオス材が用いられる。他方、おむつの腹側部の外表面でこの面状のメカニカルファスナーを受ける部分は、該外表面が不織布で形成されている場合はそのままでも良いが、メカニカルファスナーが有する係合フックの効果的な掛かりを実現するよう、例えばループ状ないし毛羽立った表面繊維構造を有するターゲットテープ、いわゆるメス材が用いられる。
【０００３】
また、使い捨ておむつ、生理用ナプキン等の吸収性物品を賦香して、その香気によって吸収性物品から生じる尿等の排泄物由来の臭気をマスキングし、あるいは気分転換やリラックス感を図る技術が知られている。例えば特許文献１には、使い捨ておむつの外側表面（非肌対向面）を形成する裏面シートを、着用者の肌に近い順に開孔フィルム層と不織布層との２層構造とし、これら両層間に、香料で満たされたマイクロカプセルを含むバインダー層を介在配置させることが記載されている。特許文献１によれば、斯かる構成のおむつの着用時において、着用者の体圧などによってマイクロカプセルが破壊されて香料が放出されることで、臭気がマスキングあるいは吸収されるとされている。
【０００４】
特許文献２には、着用時のみならず使用後の廃棄時においても臭気に対する消臭効果を発揮し得る展開型使い捨ておむつとして、おむつの背側部における一対のファスニングテープ間に、着用者の前後方向と直交する幅方向に弾性伸縮する背側伸縮シートを配置し、その背側伸縮シートに消臭剤を含有させたものが記載されている。特許文献２によれば、展開型使い捨ておむつの廃棄時の形態は、表面シートが内側になるように且つファスニングテープを有する背側部分が外側となるように丸め若しくは折り畳んだ状態で、その外面に両ファスニングテープを固定する形態が採用されることが多いところ、斯かる廃棄時の形態において、おむつ内に吸収された排泄物由来の臭気は、おむつの背側部の両ファスニングテープに挟まれた部分を通過するため、この部分に消臭剤を配置したとされている。
【先行技術文献】
【特許文献】
【０００５】
【特許文献１】特表２０００−５１３６２７号公報
【特許文献２】特開２０１０−１５４９２８号公報
【発明の概要】
【発明が解決しようとする課題】
【０００６】
展開型使い捨ておむつの着用者の保護者あるいは介護者などから、おむつの交換時にお
ける尿臭などの不快な臭気を低減することが要望されている。特許文献１及び２記載の賦香された使い捨ておむつは何れも、着用時あるいは廃棄時における臭気の低減を主たる課題とし、斯かる課題を解決するべく、着用者の体圧がかかったときに香気が揮散されるように積層構造の内部に香料が施された形態（特許文献１）、あるいは背側部のファスニングテープ間に香料が施された形態（特許文献２）を採用しているところ、展開型使い捨ておむつの交換作業の実態に鑑みて、斯かる形態が採用された展開型使い捨ておむつでは前記要望に十分に応えられないおそれがある。即ち、展開型使い捨ておむつの交換作業を行う場合、その作業者は通常、着用状態のおむつの腹側部の外表面と対面しつつ、該外表面に止着されているファスニングテープを剥がす作業を行うため、例えば特許文献２に記載されているように、おむつの背側部に香料が施されている場合には、その背側部の香料の香気が、腹側部の外表面と対向している作業者の鼻に到達するよりも前に、腹側部あるいは股下部から放出された排泄物由来の臭気が作業者の鼻に到達し、その結果、作業者は不快な気分での交換作業を余儀なくされることになる。また、特許文献１に記載されているような、加圧によって香気を揮散するタイプの香料がおむつにおける積層構造内に施された形態においては、その内包された香料の香気がおむつの交換作業時にタイムリーに揮散されるとは限らず、やはり作業者が嗅ぐ不快な臭気を低減することはできない。
【０００７】
従って本発明の課題は、交換作業を行う際に懸念される排泄物由来の不快な臭気が低減された展開型着用物品を提供することに関する。
【課題を解決するための手段】
【０００８】
本発明は、着用者の腹側から股間部を介して背側に延びる縦方向とこれに直交する横方向とを有すると共に、着用者の腹側に配される腹側部及び背側に配される背側部並びにそれらの間に位置する股下部を有し、該背側部の該縦方向に沿う両側縁部にファスニングテープを備え、該腹側部の非肌対向面に該ファスニングテープの止着部が止着可能な止着領域を備える展開型着用物品であって、前記止着領域に香料を含む展開型着用物品である。
【発明の効果】
【０００９】
本発明によれば、交換作業を行う際に懸念される排泄物由来の不快な臭気が低減された展開型着用物品が提供される。
【図面の簡単な説明】
【００１０】
【図１】図１は、本発明の展開型着用物品の一実施形態である展開型使い捨ておむつを着用する様子を示す模式的な斜視図である。
【図２】図２は、図１に示すおむつの肌対向面即ち表面シート側を模式的に示す平面図であり、各部の弾性部材を伸張させて平面状に拡げた展開状態における平面図である。
【図３】図３は、図２のＩ−Ｉ線断面を模式的に示す横断面図である。
【図４】図４（ａ）は、目的の臭い分子が嗅覚受容体を活性化させる機序を示す模式図であり、図４（ｂ）は、嗅覚受容体アンタゴニズムによって、目的の臭い分子に対する受容体の活性化が阻害される機序を示す模式図である。
【発明を実施するための形態】
【００１１】
以下、本発明の展開型着用物品を、その好ましい一実施形態である展開型使い捨ておむつの一例に基づき図面を参照して説明する。図１〜図３には、本実施形態の展開型使い捨ておむつ１が示されている。おむつ１は、着用者の腹側から股間部を介して背側に延びる縦方向Ｘとこれに直交する横方向Ｙとを有すると共に、着用者の腹側に配される腹側部１Ｆ及び背側に配される背側部１Ｒ並びにそれらの間に位置する股下部１Ｍとを有する。
【００１２】
おむつ１は、股下部１Ｍを含む縦方向Ｘの中央部における、縦方向Ｘに沿う両側縁が内向きの円弧状に湾曲しており、図２に示す如き平面視において、縦方向Ｘの中央部が内方
に括れた砂時計状をなしている。股下部１Ｍは、着用時に着用者の排泄部に対向配置される図示しない排泄部対向部を含んでいる。排泄部対向部は通常、おむつ１の縦方向Ｘの中央部よりもやや背側部１Ｒ寄りに偏倚した位置にある。
【００１３】
おむつ１は、液保持性の吸収体４と、該吸収体４の肌対向面側に配され、着用時に着用者の肌と接触し得る液透過性の表面シート２と、該吸収体４の非肌対向面側に配された液不透過性ないし撥水性の裏面シート３とを具備している。おむつ１は、図２に示す如き平面視において縦方向Ｘに長い縦長の形状を有し、その長手方向が縦方向Ｘに一致し、幅方向が横方向Ｙに一致している。
【００１４】
尚、本明細書において、「肌対向面」は、着用物品又はその構成部材（例えば吸収体４）における、着用物品の着用時に着用者の肌側に向けられる面、即ち相対的に着用者の肌に近い側であり、「非肌対向面」は、着用物品又はその構成部材における、着用物品の着用時に肌側とは反対側（着衣側）に向けられる面、即ち相対的に着用者の肌から遠い側である。尚、ここでいう「着用時」は、通常の適正な着用位置が維持された状態を意味し、着用物品が適正な着用位置からずれた状態にある場合は含まない。
【００１５】
表面シート２及び裏面シート３は、それぞれ、吸収体４よりも大きな寸法を有し、吸収体４の周縁から外方に延出し、その延出部において互いに接合されている。表面シート２及び裏面シート３は、それぞれ、図２に示す如き展開且つ伸張状態のおむつ１の外形を形成している。表面シート２及び裏面シート３としては、それぞれ、この種の吸収性物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。裏面シート３には、例えば、液難透過性のフィルムシート単独の形態と、該フィルムシートの非肌対向面側に外装シートとしての不織布を積層配置した形態とがある。吸収体４は、図２に示す如き平面視において、股下部１Ｍに位置する縦方向Ｘの中央部が内方に括れた砂時計状をなし、縦方向Ｘに長い縦長の形状を有している。吸収体４は、液保持性の吸収性コア４０と、吸収性コア４０の外面（肌対向面及び非肌対向面の両面）を被覆する液透過性のコアラップシート４１とを含んで構成されている。吸収性コア４０は、典型的には、吸水性ポリマーの粒子及びパルプ繊維等の繊維材料の少なくとも１種を含んで構成される。コアラップシート４１としては、紙、不織布等を用いることができる。
【００１６】
腹側部１Ｆ及び背側部１Ｒそれぞれの縦方向Ｘの端部（ウエスト端部）１１及びその周辺部、即ち着用者の胴周りに対応する部分には、該部分を着用者の身体にフィットさせるための胴周り弾性部材５が、横方向Ｙに伸長状態で表面シート２と裏面シート３との間に固定されており、これにより、おむつ１の着用時において胴周り部には、弾性部材５の収縮によりウエストギャザー及び胴周りギャザーが形成される。また、股下部１Ｍの縦方向Ｘに沿う側縁部を含み、着用者の脚周りに配される左右のレッグ部１２には、該レッグ部１２を着用者の身体にフィットさせるためのレッグ弾性部材６が、縦方向Ｘに伸長状態で表面シート２と裏面シート３との間に固定されており、これにより、おむつ１の着用時においてレッグ部１２には、弾性部材６の収縮によりレッグギャザーが形成される。表面シート２、裏面シート３、吸収体４及び弾性部材５，６は、ホットメルト型接着剤等の公知の接合手段により互いに接合されている。
【００１７】
また、おむつ１の肌対向面における縦方向Ｘに沿う左右両側部には、液不透過性且つ通気性の防漏カフ形成用シート１３から構成された一対の防漏カフ１４，１４が設けられている。各防漏カフ１４の自由端部の近傍には糸状の防漏カフ形成用弾性部材１５が１本以上縦方向Ｘに伸長状態で配されている。防漏カフ形成用シート１３は、図２に示すように、吸収体４よりも横方向Ｙの外方において、接着剤や融着などの公知の接合手段によって
、表面シート２及び裏面シート３に接合されており、おむつ１の着用時には、防漏カフ１４は、その接合部１６を起点として、着用者の肌側に向かって起立する。接合部１６は、図２に示す如き平面視において、縦方向Ｘに延びる直線状をなしている。
【００１８】
図１及び図２に示すように、背側部１Ｒの縦方向Ｘに沿う両側縁部には、一対の止着用のファスニングテープ７，７が設けられている。また、おむつ１の腹側部１Ｆの外表面即ち非肌対向面には、ファスニングテープ７の止着部７０が着脱自在に止着可能な止着領域８が設けられている。
【００１９】
ファスニングテープ７は、図１及び図２に示すように、背側部１Ｒに固定された固定領域７１と、該固定領域７１に隣接し、該固定領域７１から横方向Ｙの外方に延びる、他の部材に非固定の自由領域７２とを有している。ファスニングテープ７の自由領域７２の横方向Ｙの外方側の一面、より具体的には、おむつ１の着用時に止着領域８と重ね合わされる被止着面は、止着部材を有する止着部７０となっている。止着部７０は、腹側部１Ｆの非肌対向面の止着領域８と着脱自在な手段であれば、特に限定されるものではなく、例えば、メカニカルファスナーのオス材、粘着剤、剥離紙付き粘着テープなどが挙げられる。
【００２０】
ここで、メカニカルファスナーとは、表面に多数の突起状の係合部材が配置されてなるオス材と、表面にループ部、網状部等が配置されてなるメス材とからなり、オス材とメス材とを面接させることにより、両者が接合されるようになされている止着具をいう。メカニカルファスナーとしては、各種公知のものを特に制限なく用いることができ、例えば「マジックテープ（登録商標）」（クラレ社製）、「クイックロン（登録商標）」（ＹＫＫ社製）、「マジクロス（登録商標）」（伸和社製）等を用いることができる。オス材の係合部材としては、その形状が、錨形や鉤形、キノコ形のもの等を挙げることができる。メカニカルファスナーのオス材は、別に製造した係合部材を、接着剤、熱融着等の接合手段によりファスニングテープ形成用シートの表面に固定したものでも良く、ファスニングテープ形成用シートと係合部材とを一体成形したものであっても良い。
【００２１】
止着領域８は、ファスニングテープ７における止着部７０の材質に応じ、適切な材質のものが選択される。例えば止着部７０がメカニカルファスナーのオス材である場合、止着領域８としては、メカニカルファスナーのメス材として、該オス材と係合可能な繊維シート、例えば編み物地や不織布などが用いられる。また止着部７０が粘着剤である場合、止着領域８として合成樹脂製の平滑なフィルム等を用いることができる。
【００２２】
おむつ１においては、止着領域８は図１及び図２に示すように、腹側部Ｆの非肌対向面の形成部材たる裏面シート３とは別体の、平面視長方形形状の止着領域形成用シートからなり、その長手方向を横方向Ｙに一致させて、腹側部１Ｆの外表面即ち裏面シート３の非肌対向面における横方向Ｙの中央域に、接着剤、ヒートシール、超音波シール等の公知の接合手段によって接合されている。前記止着領域形成用シートの坪量は、特に制限されないが、少なすぎると止着部７０の止着が不十分となり、逆に多すぎるとおむつ１の肌に対するフィット性や着用感などが低下するおそれがあることから、これらを考慮して、好ましくは１５ｇ／ｍ2以上、さらに好ましくは３０ｇ／ｍ2以上、そして、好ましくは６０ｇ／ｍ2以下、さらに好ましくは５０ｇ／ｍ2以下である。また、止着領域８（前記止着領域形成用シート）の面積は特に制限されないが、好ましくは２００ｃｍ2以上、さらに好ま
しくは３００ｃｍ2以上、そして、好ましくは６００ｃｍ2以下、さらに好ましくは５００ｃｍ2以下である。
【００２３】
おむつ１においては、後述する、止着領域８に施された香料の揮散を促進する観点から、ファスニングテープ７の止着部７０がメカニカルファスナーのオス材であり、止着領域８が該オス材と係合可能な不織布で形成されている。
【００２４】
止着領域８（メカニカルファスナーのメス材）を形成する不織布としては、各種製法による不織布を特に制限なく用いることができ、例えば、エアスルー不織布、スパンボンド不織布、ヒートロール不織布、ケミカルボンド不織布等を挙げることができる。また、不織布を構成する繊維としては、短繊維ステープルファイバー、長繊維フィラメント等を用いることができ、また、芯鞘型やサイド・バイ・サイド型の複合繊維等を用いることもできる。また、不織布を構成する繊維の素材としては、熱可塑性樹脂を用いることができる。
【００２５】
尚、本発明においては、止着領域８は、図１及び図２に示す如き、腹側部１Ｆの非肌対向面の形成部材（本実施形態では裏面シート３）とは別体の止着領域形成用シートからなる形態に限定されず、該形成部材自体が止着領域８であっても良い。例えば、ファスニングテープ７の止着部７０がオス材であり、また、腹側部１Ｆの非肌対向面の形成部材たる裏面シート３が不織布である場合には、その不織布からなる裏面シート３、より具体的には、不織布からなる裏面シート３における、おむつ１を着用する際の止着部７０の当接可能範囲が、そのまま止着領域８となり得る。その場合、その止着領域８としての裏面シート３には、図１及び図２に示す如き、止着領域８の存在を目視で確認し得るような輪郭線は存在しないが、止着部７０が届く範囲はそれが着脱自在に止着可能になされているわけであるから、実用上特に問題は生じない。
【００２６】
おむつ１の主たる特徴の１つとして、止着領域８に香料を含む点が挙げられる。ここでいう香料は、大気圧下で香気成分を大気中に揮散し得る物質である。止着領域８は通常、おむつ１の交換作業を行う者の顔と相対する部位であり、その交換作業において作業者の鼻に最も近い部位の１つとなり得る部位であるところ、そのような作業者の鼻の近くに存する止着領域８に、大気圧下で香気成分を大気中に揮散し得る香料が含まれていることにより、止着領域８に止着されているファスニングテープ７の止着部７０を該止着領域８から剥がした際に、その止着部７０が剥がされた部分から、該部分に予め含まれていた香料の香気成分が揮散し、交換作業を行う者の鼻に到達する。このとき、おむつ１の吸収体４には尿などの排泄物が吸収保持されていることに伴い、その排泄物由来の不快な臭気が股下部１Ｍを主な臭気源として周辺に発生しているが、止着領域８に含まれている香料の香気の方がその臭気よりも先に交換作業を行う者の鼻に到達し、その香気成分が該鼻における臭気の嗅覚受容体を抑えるので、その者にとっては不快な臭気が低減された状態となり、おむつ１の交換作業を気分よく行うことが可能となる。
【００２７】
香料は止着領域８の全域に含まれていても良く、一部のみに含まれていても良い。香料を止着領域８に配する方法は特に制限されず、通常は、常温で液状の香料又は該香料を適当な溶媒に溶解して調製した香料含有液を、止着領域８の形成部材（例えば不織布）に付与することで行うことができ、その付与方法としては例えば、公知の塗布手段による塗布、スプレーによる噴霧などが挙げられる。また、止着領域８が腹側部１Ｆの非肌対向面の形成部材（本実施形態では裏面シート３）とは別体の止着領域形成用シートから形成されている場合、該シートの外表面即ち非肌対向面に香料を付与しても良く、あるいは該シートの内表面即ち肌対向面に香料を付与して良いが、おむつ１の交換作業を行う者の鼻に香料の香気成分が速やかに到達するようにする観点から、少なくとも該シートの外表面に香料を付与することが好ましい。止着領域８に含まれる香料の量は、使用する香料の種類等に応じて適宜調整すれば良い。
【００２８】
前述した香料による臭気の低減効果をより一層確実に奏させるようにする観点から、止着領域８のみならず、該止着領域８に止着されるファスニングテープ７の止着部７０に香料を配することもできる。特に、止着部７０がメカニカルファスナーのオス材であり、止着領域８が該オス材と係合可能な不織布で形成されている場合に、そのオス材たる止着部
７０及びメス材たる不織布からなる止着領域８の双方に香料が含まれていると、交換作業の際にその作業者が嗅ぐ不快な臭気のより一層の低減が期待できる。
【００２９】
本発明で用いる香料としては、大気圧下で香気成分を大気中に揮散し得るものであれば良く、常温常圧の環境下でその香気を知覚し得る通常の香料を特に制限なく用いることができ、使い捨ておむつなどの吸収性物品において従来用いられてきたものを用いることができる。香料としては例えば、沸点が約２５０℃以下の高揮発性香料成分、又は沸点が約２５０〜約３００℃の中揮発性香料成分が好ましく用いられる。
【００３０】
前記高揮発性香料成分としては、例えばアニソール、ベンズアルデヒド、酢酸ベンジル、ベンジルアルコール、ギ酸ベンジル、酢酸イソボルニル、シトロネラール、シトロネロール、酢酸シトロネリル、パラシメン、デカナール、ジヒドロリナロール、ジヒドロミルセノール、ジメチルフェニルカルビノール、ユーカリプトール、１−カルボン、ゲラニアール、ゲラニオール、酢酸ゲラニル、ゲラニルニトリル、酢酸ネリル、酢酸ノニル、リナロール、エチルリナロール、酢酸リナリル、フェニルエチルアルコール、α−ピネン、β−ピネン、γ−ピネン、α−ヨノン、β−ヨノン、γ−ヨノン、α−テルピネオール、β−テルピネオール、酢酸テルピニル、テンタローム等が挙げられ、これらの１種を単独で又は２種以上を組み合わせて用いることができる。
【００３１】
前記中揮発性香料成分としては、例えばアミルシンナムアルデヒド、ジヒドロジャスモン酸メチル、サリチル酸イソアミル、β−カリオフィレン、セドレン、セドリルメチルエーテル、桂皮アルコール、クマリン、ジメチルベンジルカルビニルアセテート、イソオイゲノール、γ−メチルヨノン、ヘリオトロピン、サリチル酸ヘキシル、サリチル酸シス−３−ヘキセニル、フェニルヘキサノール、ペンタライド等が挙げられ、これらの１種を単独で又は２種以上を組み合わせて用いることができる。
【００３２】
本発明で用いる香料としては、前述の高揮発性及び中揮発性香料成分以外に、あるいはこれら香料成分に加えて更に、バラ香調、ラベンダー香調、ジャスミン香調、イランイラン香調を有する香料を含有した香料組成物を用いることもできる。斯かる香料組成物としては、例えば、ネロール、ラバンジュロール、ジャスマール、シクロピデン等が挙げられ、これらの１種を単独で又は２種以上を組み合わせて用いることができる。本発明で用いる香料には、前述した香料素材単体、及び天然精油や調合ベースのように、「複数の香料によって構成される香料素材が組み合わされたもの（香料組成物）で、溶剤によって希釈・調整されたもの」が含まれる。例えば、香料として、バラ、ラベンダー、ジャスミン、イランイラン様香気を有する香料を含有する香料組成物を用いることができる。
【００３３】
特に、香料は、尿臭成分に起因するヒトの嗅覚受容体の活性化を阻害する物質（以下、この物質のことを「アンタゴニスト香料」とも言う。）を含むことが好ましい。アンタゴニストとは、結合部位を奪い合うことで作用を阻害する競合的拮抗薬のことであり、アンタゴニスト香料とは、図４（ａ）に示す通り、結合部位が嗅覚受容体２０である場合に、目的の臭い分子２１が嗅覚受容体２０に結合して該受容体２０が活性化して臭い情報が伝達されるときに、図４（ｂ）に示す通り、目的の臭い分子２１と他の分子２２をともに適用することにより、当該他の分子２２によって目的の臭い分子２１に対する受容体の活性化を阻害し、結果的に個体に認識される臭いを抑制するために用いられる当該他の分子のことである。つまり、アンタゴニスト香料を用いることで、嗅覚受容体アンタゴニズムによる臭いの抑制を達成することができる。このように、アンタゴニスト香料を用いることで、該アンタゴニスト香料自体の香気が強くなくても、高い尿臭の抑制効果が発現する。
【００３４】
嗅覚受容体アンタゴニズムによる臭いの抑制は、同様に他の分子を用いる手段であっても、芳香剤による消臭のように、目的の臭いを香料の香気によって隠蔽（マスキング）す
る手段とは区別される。嗅覚受容体アンタゴニズムによる臭いの抑制の一例は、アンタゴニスト等の嗅覚受容体の活性化を阻害する物質を使用するケースである。特定の臭いをもたらす臭い分子の受容体にその活性化を阻害する物質を適用すれば、当該受容体の当該臭い分子に対する活性化が阻害されるため、最終的に個体に知覚される臭いを抑制することができる。
【００３５】
尿臭成分としては、ｐ−クレゾール及び２−メトキシ−４−ビニルフェノールが代表的なものとして知られている。これらの物質の臭いを嗅覚受容体アンタゴニズムによって抑制することが、効果的な臭気の抑制の点から好ましい。ｐ−クレゾール及び２−メトキシ−４−ビニルフェノールは、放尿又は採尿後時間が経った尿又は飛び散って乾燥した尿から発せられる臭い、あるいは使用後放置した吸収性物品から発せられる尿の臭いの代表的なものである。
【００３６】
本明細書において、「尿臭」とは、好適には、放尿又は採尿後時間が経った尿から発せられる臭いである。例えば、本明細書における「尿臭」は、飛び散って乾燥した尿の臭い又は使用後放置した吸収性物品から発する尿の臭いであり得る。また好適には、本明細書における 「尿臭」 は、βグルクロニダーゼ処理された尿又はその抽出物の臭いである。
【００３７】
特に、アンタゴニスト香料は、ヒトの嗅覚受容体としてのＯＲ９Ｑ２、ＯＲ１０Ｇ４、ＯＲ１０Ｇ７及びＯＲ２Ｗ１のいずれかの活性化を阻害する物質であることが好ましい。これによって尿臭成分に対する活性が一層抑制され、最終的に個体に知覚される臭いを更に一層抑制することができる。これらの嗅覚受容体のうち、ＯＲ９Ｑ２又はＯＲ２Ｗ１にアンタゴニスト香料を適用することで、ｐ−クレゾールに対して特異的に臭いの抑制効果が発揮される。また、ＯＲ１０Ｇ４又はＯＲ１０Ｇ７にアンタゴニスト香料を適用することで、２−メトキシ−４−ビニルフェノールに対して特異的に臭いの抑制効果が発揮される。
【００３８】
本発明において、特に好ましく用いられるアンタゴニスト香料としては、例えばＯＲ９Ｑ２に結合し得る以下の化合物が挙げられる。これらの化合物は１種を単独で、又は２種以上を組み合わせて用いることができる。
・３−（４−ｔｅｒｔ−ブチルフェニル）プロパナール（Ｂｏｕｒｇｅｏｎａｌ）
・３，７，１１−トリメチルドデカ−１，６，１０−トリエン−３−オール（Ｎｅｒｏｌｉｄｏｌ）
・メチルセドリルケトン（［１−［（１Ｓ，２Ｒ，５Ｒ，７Ｓ）−２，６，６，８−ｔｅｔｒａｍｅｔｈｙｌｔｒｉｃｙｃｌｏ［５．３．１．０１，５ ］ｕｎｄｅｃ−８−ｅｎ
−９−ｙｌ］ｅｔｈａｎｏｎｅ；Ａｃｅｔｙｌ ｃｅｄｒｅｎｅ）
・１−（２−ｔｅｒｔ−ブチルシクロヘキシル）オキシブタン−２−オール（Ａｍｂｅｒｃｏｒｅ）
・２，２，７，７−テトラメチルトリシクロ［６．２．１．０１，６］ウンデカン−５−オン（ｉｓｏ−Ｌｏｎｇｉｆｏｌａｎｏｎｅ）
【００３９】
本発明においてアンタゴニスト香料として、ＯＲ２Ｗ１に結合し得る以下の化合物も好ましく挙げられる。
・（３Ｒ，３ａＳ，６Ｓ，７Ｒ，８ａＳ）−Ｏｃｔａｈｙｄｒｏ−６−ｍｅｔｈｏｘｙ−３，６，８，８，−ｔｅｔｒａｍｅｔｈｙｌ−１Ｈ−３ａ，７−ｍｅｔｈａｎｏａｚｕｌｅｎｅ（Ｍｅｔｈｙｌ  Ｃｅｄｒｙｌ  Ｅｔｈｅｒ）
【００４０】
本発明においてアンタゴニスト香料として、ＯＲ１０Ｇ４に結合し得る以下の化合物も好ましく挙げられる。
・５−メチル−２−（１−メチルエチル）−フェノール（Ｔｈｙｍｏｌ）
【００４１】
本発明においてアンタゴニスト香料として、ＯＲ１０Ｇ７に結合し得る以下の化合物も好ましく挙げられる。
・２−メチルウンデカナール（Ａｌｄｅｈｙｄｅ  Ｃ−１２  ＭＮＡ）
・Ｂｅｎｚｏｉｎ  Ｓｉａｍ
【００４２】
前述したＯＲ９Ｑ２アンタゴニスト香料、ＯＲ２Ｗ１アンタゴニスト香料、ＯＲ１０Ｇ４アンタゴニスト香料及びＯＲ１０Ｇ７アンタゴニスト香料は、これまで香料素材として知られていたが、これらの嗅覚受容体に対するアンタゴニスト作用を有することや、ｐ−クレゾール臭を始めとする尿臭を選択的に抑制する機能があることは知られていなかった。
本発明で用いる香料、即ち展開型着用物品におけるファスニングテープの止着領域に含まれる香料は、前述した化合物（ヒトの特定の嗅覚受容体に結合し得る化合物）より選択される少なくとも１種を有効成分とするアンタゴニスト香料であることが好ましい。
【００４３】
前述した各種の嗅覚受容体に対するアンタゴニスト香料は、いずれも市販のものを購入して使用することができる（「合成香料  化学と商品知識」増補改訂版、印藤元一著、化学工業日報社、 ２００５年３月発行を参照）。例えば、ＯＲ９Ｑ２アンタゴニスト香料
は、Ｆｉｒｍｅｎｉｃｈ  Ｓ．  Ａ．，Ｇｉｖａｕｄａｎ  Ｓ． Ａ．，Ｉｎｔｅｒｎａ
ｔｉｏｎａｌ  Ｆｌａｖｏｒｓ  ＆  Ｆｒａｇｒａｎｃｅｓ  Ｉｎｃ．，ＳＩＧＭＡ−ＡＬＤＲＩＣＨ  Ｃｏｒｐｏｒａｔｉｏｎ、高砂香料工業株式会社、花王株式会社などから入手することが可能である。あるいは、化学合成によって、該市販品と同一物質又はそれを含む組成物を製造することが可能である。
【００４４】
また、本発明の展開型着用物品において、香料の含有量は特に制限されず、所望の消臭性能や吸収性能等に応じて適宜設定することができる。例えば、展開型着用物品１枚当たり０．５ｍｇ〜１００ｍｇの香料を含むことができる。 特に、香料としてアンタゴニス
ト香料を用いることは、そのアンタゴニスト香料の含有量を０．１ｍｇ〜５０ｍｇ程度の比較的少ない含有量としても、十分な尿臭抑制効果が得られる点で好ましい。
【００４５】
以上、本発明をその実施形態に基づいて説明したが、本発明は、前記実施形態に制限されることなく適宜変更が可能である。例えば、吸収性や防漏性等の向上の観点から、表面シート２と吸収体４との間に、各種不織布からなる液透過性シートが介在配置されていても良い。同様の観点から、おむつ１の肌対向面に、表面シート２及び吸収体４が一体的に圧密化されてなる溝が形成されていても良い。本発明は、展開型使い捨ておむつ以外の他の展開型着用物品、例えば、おむつカバー（パッドホルダー）や胴回りで着脱する帯状体に適用可能であり、乳幼児用のものであっても、成人用のものであっても良い。前述した一の実施形態のみが有する部分は、すべて適宜相互に利用できる。
【符号の説明】
【００４６】
１  展開型使い捨ておむつ（展開型着用物品）
２  表面シート
３  裏面シート
４  吸収体
７  ファスニングテープ
７０  止着部
８  止着領域
１Ｆ  腹側部
１Ｍ  股下部
１Ｒ  背側部
Ｘ  縦方向
Ｙ  横方向
【図１】
2018102611.tif 000003
【図２】
2018102611.tif 000004
【図３】
2018102611.tif 000005
【図４】
2018102611.tif 000006